(57)【要約】【課題】記録されたディスクの反射膜に対して追加記録する方法をエラー訂正符号化領域に対しても行えるようにする。【解決手段】４シンボルのデータ（図１１Ａ）から２シンボルのパリティ（図１１Ｂ）が生成される。これらの６シンボルがＥＦＭ変調され、各シンボルの８ビットが１４ビットのパターンに変換される（図１１Ｃ）。ディスク上に形成されたピット／ランド列（図１１Ｄ）において２個のシンボルを書き換える。一つは、元々（０ｘ４０）とされているものである。ピット／ランド列に対して追加記録を行うことによって、ピット長が長くされる（図１１Ｅ）。再生された１４ビットのデータは、再生側で８ビットに変換される。元々のデータ（０ｘ４０）が（０ｘ２２）に書き換えられたことになる。追加記録したデータシンボル（０ｘ２２）がエラーとして検出されないように、パリティも変更する。【選択図】図１１
2008108421.tif 000002
【特許請求の範囲】
【請求項１】
被覆膜を有する光記録媒体において、
復号した時にエラーとして検出されないように、エラー訂正符号化されたデータの記録領域中の一部のデータが上記被覆膜への記録によって書き換えられた光記録媒体。
【請求項２】
被覆膜を有する光記録媒体を作成するための光記録方法において、
復号した時にエラーとして検出されないように、エラー訂正符号化されたデータの記録領域中の一部のデータを上記被覆膜への記録によって書き換える光記録方法。
【発明の詳細な説明】
【技術分野】
【０００１】
この発明は、例えば読み出し専用（ＲＯＭ）タイプの光ディスクに対して適用される光記録媒体および光記録方法に関する。
【背景技術】
【０００２】
今日広く普及しているコンパクトディスク(Compact Disc;ＣＤ) の規格は、コンパクトディスクオーディオ（ＣＤ−ＤＡ）と呼ばれ、規格書(Red Book)に記載の規格に基づくものである。この規格書を基礎として、ＣＤ−ＲＯＭをはじめとする、種々のフォーマットが規格化され、所謂ＣＤファミリーが構成されている。以下の説明では、単にＣＤと称した場合には、ＣＤファミリーに含まれる各種のフォーマットのディスクを総称するものとする。
【０００３】
反射膜を有するディスクに対して、反射膜の材料を選定し、レーザビームを反射膜に照射することで、ピットまたはランドの長さを変え、それによってデータを記録することが提案されている。このような記録を適宜追加記録と称することにする。この反射膜に対する追加記録によって、例えばディスクのそれぞれを識別するための識別情報を記録することが可能となる。ＣＤフォーマットにおいて、識別情報を記録しようとした場合、ＣＤフォーマットにおけるＱチャンネルのサブコードを利用することが考えられる。
【発明の開示】
【発明が解決しようとする課題】
【０００４】
ＣＤでは、ＣＩＲＣ（Cross Interleave Reed-Solomon Code）と称されるエラー訂正符号が使用されている。したがって、反射膜に対してディスク識別情報のようなデータを追加記録を行った時に、追加記録されたデータがＣＩＲＣによってエラーとして検出され、訂正されることになる。この場合では、追加記録される前の元のデータが読み出される。また、ＣＩＲＣのエラー訂正能力を超えるエラーが発生した場合には、訂正不能となり、エラーとして読み出せなくなったり、補間によって追加記録されたデータが読み出せなくなる。このような理由によって、先に提案されている追加記録の方法は、エラー訂正符号化がされていない領域でのみ行うようにしていた。そのため、追加記録の適用範囲が限られる問題があった。
【０００５】
したがって、この発明の目的は、追加記録の適用範囲をより拡張することが可能な光記録媒体および光記録方法を提供することにある。
【課題を解決するための手段】
【０００６】
上述した課題を解決するために、この発明は、被覆膜を有する光記録媒体において、復号した時にエラーとして検出されないように、エラー訂正符号化されたデータの記録領域中の一部のデータが被覆膜への記録によって書き換えられた光記録媒体である。
【０００７】
この発明は、被覆膜を有する光記録媒体を作成するための光記録方法において、復号した時にエラーとして検出されないように、エラー訂正符号化されたデータの記録領域中の一部のデータを被覆膜への記録によって書き換える光記録方法である。
【発明の効果】
【０００８】
この発明によれば、作成されたディスクに対して追加記録を行うことによって、エラー訂正符号化領域にディスク識別情報等を記録することができる。この発明では、復号した時にエラーとして検出されないように、反射膜に対して追加記録がなされる。したがって、エラー訂正符号化されたデータを復号した時に書き換えたデータを読めなくなる問題を生じない。この発明は、エラー訂正符号化がされた領域に対しても追加記録が可能となり、追加記録の適用範囲を拡張することができる。
【発明を実施するための最良の形態】
【０００９】
以下、この発明をディスク識別情報（以下、ＵＤＩと称する）をディスク状記録媒体に対して記録する場合に適用した一実施形態について説明する。ＵＤＩは、個々のディスクを識別するための情報である。ＵＤＩは、例えばディスク製造者名、ディスク販売者名、製造工場名、製造年、シリアル番号、時間情報等である。この発明では、追加記録される情報は、ＵＤＩに限られず、所望の情報で良い。ＵＤＩは、例えば既存のＣＤプレーヤまたはＣＤ−ＲＯＭドライブによって読み取ることが可能なように記録される。最初に、一実施形態の理解を容易とするために、光ディスク例えばＣＤの構造について説明する。
【００１０】
図１は、既存のＣＤの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤには、下側からレーザ光が照射される。
【００１１】
レーザ光が当たる下側から順に、厚さ１．２mmの透明ディスク基板１と、その上に被覆された反射膜２と、反射膜２に被覆された保護膜３とが順に積層された構造とされている。反射膜２は、高い反射率を持つものが使用される。ＣＤは、読み出し専用ディスクであるが、後述するように、反射膜２が被覆された後に、反射膜２に対してレーザ光を使用して情報（ＵＤＩ）が記録される。
【００１２】
このようなＣＤの製造工程の流れを図２を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００１３】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤを製作していた。
【００１４】
一方、図２の例では、反射膜（ミラー部例えばランド）に対してレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用してピット長またはランド長を変化させ、情報を記録することができる。この場合、反射膜は、反射率がレーザ照射により変化する材料が使用される。反射率が低下するものに限らず、記録によって反射率が高くなる材料もある。
【００１５】
具体的には、アルミニウムの合金膜Ａｌ100-xＸxで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００１６】
また、反射膜をＡｇ100-xＸxのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００１７】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００１８】
図３は、ＵＤＩの追加記録の方法をより具体的に説明するための図である。記録データとピットおよびランドの対応の仕方は、前のパターンとの関係でパターンＡと、パターンＢとがありうる。
【００１９】
最初にパターンＡについて説明する。シンボル間に３ビットの例えばマージビット（０００）が挿入される。追加記録をする場合、８ビットのデータシンボルが例えば（０ｘ４７）とされる。０ｘは、１６進表記を意味する。この８ビットをＥＦＭ（eight to fourteen modulation)変調した結果の１４ビットのパターン（００１００１００１００１００
）が図３に示されている。
【００２０】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００２１】
パターンＢの場合では、マージビットが（００１）となる。この場合も、パターンＡと同様に、斜線領域にレーザビームを照射することによって、８ビットを（０ｘ４７）から（０ｘ０７）へと変化させることができる。
【００２２】
上述したように、元々は、（０ｘ４７）であったデータシンボルを（０ｘ０７）へ書き換えることができる。この例以外にも追加記録できるデータの種類としては、多々存在する。例えば元々（０ｘ４０）であったデータシンボルを（０ｘ００）へ変化させることができる。但し、追加記録は、元々記録されているデータのミラー部に対してレーザを照射することによって、ピット長またランド長を変えるものであるので、追加記録できるデータの種類が制限される。
【００２３】
次に、ＣＤで使用されているエラー訂正符号化について説明する。ＣＤでは、エラー訂正符号化方式として、Ｃ１系列（垂直方向）とＣ２系列（斜め方向）とに２重にエラー訂正符号化処理を行うＣＩＲＣが採用されている。そして、エラー訂正符号化されたデータは、１フレームを単位として、ＥＦＭ変調されて記録される。
【００２４】
図４は、ＥＦＭ変調される前のＣＤのデータ構造の１フレームを示すものである。１フレームは、図４に示すように、オーディオデータを１６ビットでサンプリングした場合に、Ｌ（左）、Ｒ（右）各６サンプル分に相当する２４シンボル（１シンボルは１６ビットを２分割してなる８ビット）のデータビットと、４シンボルのＱパリティと、４シンボルのＰパリティと、１シンボルのサブコードとからなる。ディスク上に記録される１フレーム（１ＥＦＭフレームとも呼ばれる）のデータは、ＥＦＭ変調により、８ビットが１４ビットに変換されると共に直流分抑圧ビットが付加され、フレームシンクが付加される。
【００２５】
したがって、ディスク上に記録される１フレームは、
フレームシンク  ２４チャンネルビット
データビット    １４・２４＝３３６チャンネルビット
サブコード      １４チャンネルビット
パリティ        １４・８＝１１２チャンネルビット
マージンビット  ３・３４＝１０２チャンネルビット
からなる。したがって、１フレームの総チャンネルビット数が５８８チャンネルビットである。
【００２６】
ＥＦＭ変調方式では、各シンボル（８データビット）が１４チャンネルビットへ変換される。ＥＦＭ変調の最小時間幅（記録信号の１と１との間の０の数が最小となる時間幅）Ｔmin が３Ｔであり、３Ｔに相当するピット長が０．８７μm
となる。Ｔに相当するピット長が最短ピット長である。また、各１４チャンネルビットの間には、３ビットのマージビットが配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１フレームは、総ビット数が５８８チャンネルビットからなるものである。フレーム周波数は、７．３５ｋHzとされている。
【００２７】
このようなフレームを９８個集めたものは、サブコードフレーム（またはサブコードブロック）と称される。このサブコードフレームは、通常のＣＤの再生時間の１／７５秒に相当する。図５は、９８個のフレームを縦方向に連続するように並べ換えて表したサブコードフレームを示す。各フレームの１シンボルのサブコードは、Ｐ〜Ｗの８チャンネルの各チャンネルの１ビットとを含む。図５に示すように、サブコードの完結する周期（９８フレーム）のデータによって１セクタが構成される。なお、９８フレームの先頭の２フレームのサブコードは、サブコードフレームシンクＳ0 、Ｓ1 である。ＣＤ−ＲＯＭ等で光ディスクのデータを記録する場合には、サブコードの完結する単位である９８フレーム（２，３５２バイト）が１セクタとされる。
【００２８】
図６および図７は、ＣＩＲＣ方式の符号化の流れに沿って表されたブロック図である。オーディオ信号の１ワードが上位８ビットと下位８ビットとに分割されてなる２４シンボル（Ｗ12n,Ａ，Ｗ12n,Ｂ，・・・，Ｗ12n+11, Ａ，Ｗ12n+11,
Ｂ）（上位８ビットがＡ、下位８ビットがＢで示されている）が２シンボル遅延／スクランブル回路１１に供給される。２シンボル遅延は、偶数ワードのデータＬ6n, Ｒ6n, Ｌ6n+2, Ｒ6n+2, ・・・に対して実行され、Ｃ２符号器１２で該当する系列が全てエラーとなった場合でも、補間ができるようにされている。スクランブルは、最大のバーストエラー補間長が得られるように施されている。
【００２９】
２シンボル遅延／スクランブル回路１１からの出力がＣ２符号器１２に供給される。Ｃ２符号器１２は、ガロア体ＧＦ（２8 ）上の（２８，２４，５）リード・ソロモン符号の符号化を行い、４シンボルのＱパリティＱ12n,Ｑ12n+1,Ｑ12n+2,Ｑ12n+3 が発生する。Ｃ２符号器１２の出力の２８シンボルがインターリーブ回路１３に供給される。インターリーブ回路１３は、単位遅延量をＤとすると、０、Ｄ、２Ｄ、・・・と等差的に変化する遅延量を各シンボルに与えることによって、シンボルの第１の配列を第２の配列へ変更するものである。インターリーブ回路１３によって、バーストエラーが分散される。
【００３０】
インターリーブ回路１３の出力がＣ１符号器１４に供給される。ガロア体ＧＦ（２8 ）上の（３２，２８，５）リード・ソロモン符号がＣ１符号として使用される。Ｃ１符号器１４から４シンボルのＰパリティＰ12n,Ｐ12n+1,Ｐ12n+2,Ｐ12n+3 が発生する。Ｃ１符号、Ｃ２符号の最小距離は、共に５である。したがって、２シンボルエラーの訂正、４シンボルエラーの消失訂正（エラーシンボルの位置が分かっている場合）が可能である。
【００３１】
Ｃ１符号器１４からの３２シンボルが１シンボル遅延回路１５に供給される。１シンボル遅延回路１５は、隣接するシンボルを離すことにより、シンボルとシンボルの境界にまたがるエラーにより２シンボルエラーが生じることを防止するためである。また、Ｑパリティがインバータによって反転されているが、これは、データおよびパリティが全て零になったときでも、エラーを検出できるようにするためである。
【００３２】
インターリーブ回路１３の単位遅延量は、Ｄ＝４フレームとされ、隣接するシンボルが４フレームずつ離されている。ＣＩＲＣ４方式の場合には、最大遅延量が２７Ｄ（＝１０８フレーム）となり、総インターリーブ長が１０９フレームとなる。
【００３３】
図８および図９は、復号化の流れに沿って表されたブロック図である。復号化の処理は、上述した符号化の処理と逆の順序でなされる。まず、ＥＦＭ復調回路からの再生データが１シンボル遅延回路２１に供給される。符号化側の１シンボル遅延回路１５で与えられた遅延がこの回路２１においてキャンセルされる。
【００３４】
１シンボル遅延回路２１からの３２シンボルがＣ１復号器２２に供給される。Ｃ１復号器２２の出力がデインターリーブ回路２３に供給される。デインターリーブ回路２３は、インターリーブ回路１３により与えられた遅延量をキャンセルするように、２８シンボルに対して２７Ｄ、２６Ｄ、・・・、Ｄ、０の等差的に変化する遅延量を与える。デインターリーブ回路２３の単位遅延量は、Ｄ＝４フレームとされる。
【００３５】
図１０に示すように、単位遅延量Ｄが（Ｄ＝４）であり、総インターリーブ長が１０９（＝１０８＋１）フレームであり、１セクタより少し大きくなる。総インターリーブ長は、ディスク上に付着した指紋、ディスクの傷等によって多数のデータが連続的に誤る、バーストエラーに対する訂正能力を規定するものとなり、それが長いほどバーストエラー訂正の能力が高い。
【００３６】
デインターリーブ回路２３の出力がＣ２復号器２４に供給され、Ｃ２符号の復号がなされる。Ｃ２復号器２４の２４シンボルの出力が２シンボル遅延／ディスクランブル回路２５に供給される。この回路２５から２４シンボルの復号データが得られる。Ｃ１復号器２２およびＣ２復号器２４からのエラーフラグから補間フラグ生成回路２６にて補間フラグが生成される。この補間フラグによりエラーであることが示されるデータが補間される。このように、ＣＩＲＣでは、垂直方向にＣ１系列でエラー訂正符号化が行われると共に、斜め方向にＣ２系列でエラー訂正符号化が行われ、２重にエラー訂正符号化が行われている。
【００３７】
この発明では、エラー訂正符号化領域中の一部のデータを書き換えることで所望のデータ例えばＵＤＩを記録するものである。図１１は、データの書き換え方法の例を示すものである。但し、図１１は、理解の容易のために、ＣＩＲＣよりも簡単なエラー訂正符号化の例を示している。すなわち、図１１Ａに示す４シンボルのデータ（０ｘ８２，０ｘｅｆ，０ｘ７５，０ｘ４０）から図１１Ｂに示す２シンボルのパリティ（０ｘｂａ，０ｘｅ２）が生成される。このエラー訂正符号化は、１シンボルのエラーを訂正できる能力を有する。なお、具体的なパリティシンボルの２進数は、単なるコード例であり、例えばリードソロモン符号のパリティシンボルであるが、エラー訂正符号化の演算で求められた値を意味するものではない。
【００３８】
これらの６シンボルがＥＦＭ変調され、図１１Ｃに示すように、各シンボルの８ビットが１４ビットのパターンに変換される。マージビットは、付加しないものとする。図１１Ｃ中の"1" は、レベルの反転を意味するので、ディスク上の凹凸パターンとしてのピット／ランド列は、図１１Ｄに示すものとなる。例えば"1" が連続する期間がピットの期間であり、"0" が連続する期間がランドの期間である。
【００３９】
ここで、図３を参照して説明したように追加記録がなされる。図１１では、枠で囲んで示すように、２個のシンボルが書き換えられる。一つのシンボルは、元々（０ｘ４０）とされているデータである。図１１Ｄに示すピット／ランド列に対して追加記録を行うことによって、図１１Ｅに示すように、ピット長が長くされる。図１１Ｅに示す追加記録後のピット／ランド列を再生した場合、図１１Ｆに示す１４ビットのデータが再生される。
【００４０】
この１４ビットのデータは、再生側で８ビットに変換され、図１１Ｇに示す読み出した全てのデータが得られる。このように、元々のデータ（０ｘ４０）が（０ｘ２２）に書き換えられたことになる。６シンボルで構成されるエラー訂正符号系列の１シンボルのみを変更すると、復号時にエラーとして検出され、訂正される。すなわち、元のデータである（０ｘ４０）が再生される。この場合では、書き換えられたデータ（０ｘ２２）を再生できないことになる。
【００４１】
そこで、図１１の例では、復号時に追加記録したデータシンボル（０ｘ２２）がエラーとして検出されないように、パリティシンボル（０ｘｅ２）を（０ｘ０１）に変更する。この書き換え後のデータシンボルおよびパリティシンボル（０ｘ０１）を含む６シンボル（０ｘ８２，０ｘｅｆ，０ｘ７５，０ｘ２２，０ｘｂａ，０ｘ０１）は、再生時にエラー訂正復号化を行った場合にエラー無しと検出されるものである。言い換えると、データ（０ｘ２２）が含まれる場合のパリティシンボルとして（０ｘｂａ）（０ｘ０１）が求められている。したがって、書き換え後のデータシンボルを図１１Ｈに示すように、再生することができる。
【００４２】
このように追加記録されるデータと記録したい所望の情報例えばＵＤＩとの関係について説明する。ディスク上では、追加記録がなされる区間が絶対アドレス等で予め規定されている。図１１は、そのような区間の例である。そして、その区間に記録するデータが所定のデータと規定されている。上述した例における追加記録したデータ（０ｘ２２）は、既知のデータである（０ｘ４０）と相違しているので、再生時に書き換えられたことが検出できる。書き換えたデータである（０ｘ２２）自身をＵＤＩのデータの全体または一部とすることが考えられるが、その場合には、追加記録できるデータの種類が制約されているので、多くの種類のデータを記録することが困難である。
【００４３】
そこで、一実施形態では、既知のデータに対して書き換えがなされた否かによって例えばＵＤＩの１ビットを表現する。図１１の例のように、データの書き換えがされている場合には、"1" と判定する。若し、書き換えがされていなければ、"0" と判定する。図１１の区間をＮ回設ければ、Ｎビットを追加記録することができる。実際には、Ｎ回の区間を更に、繰り返して記録する多重記録を行うようになされる。
【００４４】
次に、ＣＩＲＣに対してこの発明を適用した場合について説明する。ＣＩＲＣでは、４シンボルのパリティシンボルを付加するものであるので、５シンボル以上のエラーに対しては、判定不能となる。このことを利用し、５個のデータシンボルの書き換えを行い、エラー訂正を起こさせないようにする。それによって、書き換えられたデータ列を再生時に読み取ることができる。
【００４５】
リードソロモン符号の復号では、シンドロームを計算し、エラーの有無を判定する。シンドロームは、パリティシンボルの個数と同じ数である。ＣＩＲＣでは、４個のシンドロームが計算される。全てのシンドロームが０の場合にエラーが無いと判定される。理論上、４シンボルのパリティを付加する場合には、５個のデータシンボルに対してデータの書き換えを行うと、全てのシンドロームを０とすることができる。但し、シンドローム値計算では、任意の数値から任意の数値への置き換えが可能ではなく、そのデータ位置と置き換え可能な値は限られている。
【００４６】
さらに、上述したように、データの追加記録方法の限界によって、任意のデータから任意の他のデータへの書き換えが可能ではないので、書き換え可能な組合せでデータ列の候補が決定される。組合せは、（元のデータと書き換え後のデータの組合せ）を意味する。さらに、前後のデータを考慮してデータ列の候補が決まる。これらの２つの条件を考慮して、書き換え可能で、書き換え後にシンドロームが０となるデータ配列が決定される。
【００４７】
さらに、ＣＩＲＣでは、上述したように、エラー訂正符号としてＣ１符号およびＣ２符号の二つが使用され、各データシンボルがこれらの符号系列によって二重に符号化されている。このため、書き換えたデータ列が２段目のエラー訂正によって書き換え前の状態に戻され、書き換えられたデータを読み出すことができないことになる。したがって、二つの符号系列の両者でエラー訂正されないようにする必要がある。
【００４８】
上述したように、４シンボルのパリティを付加するＣＩＲＣでは、５個のシンボルを書き換えることによって全てのシンドローム値を０とすることができる。但し、この５シンボルを任意の場合のものとすると、その後の２段目のエラー訂正符号化（Ｃ１符号）を満足する５シンボルをそれぞれ付加する必要が有り、全体的に発散してしまう。５シンボルの位置を、１つを任意の位置にとり、残りの４個のシンボルをパリティ付加領域にとることによって発散を回避できる。
【００４９】
図１２から図１５は、ＣＩＲＣにおける書き換えるべき５個のデータシンボルの位置を説明するためのものである。図１２は、入力データの２４シンボルの中で書き換えられる５個のデータシンボルの位置を黒い四角の領域として示す。これらの５個のデータシンボルは、同じＣ２符号の系列に含まれるもので、５個のデータシンボルの値を選ぶことによって、復号時にＣ２復号のシンドローム値を全て０とすることができる。図１３は、Ｃ２符号器の出力側における５個のデータシンボルの位置を示す。
【００５０】
Ｃ２符号器の出力がインターリーブ回路によってインターリーブされてからＣ１符号器に入力される。図１４は、Ｃ１符号器の出力側における５個のデータシンボルの位置を示す。Ｃ１符号器の出力が１シンボル遅延回路を介してＥＦＭ変調器に供給される。図１５は、ＥＦＭ変調器に対して与えられる５個のデータシンボルの位置を領域として示す。図１４および図１５に示すように、書き換えられる５個のデータシンボルのそれぞれに対して、Ｃ１復号時に全てのシンドローム値が０となるように、４個のＣ１パリティシンボルが書き換えられる。最終的には、２５個のシンボルが追加記録によって書き換えられる。
【００５１】
この発明は、上述したこの発明の一実施形態に限定されるものでは無く、この発明の要旨を逸脱しない範囲内で様々な変形や応用が可能である。例えばこの発明は、反射膜に対する追加記録に限らず、相変化膜、光磁気記録膜等に対して追加記録することも可能である。また、この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、コンピュータプログラム等の種々のデータが可能である。さらに、この発明は、例えばＤＶＤビデオ、ＤＶＤ−ＲＯＭに対しても適用できる。
【図面の簡単な説明】
【００５２】
【図１】従来のＣＤの記録パターンとＣＤの構造を説明するための略線図である。
【図２】この発明の一実施形態におけるディスクの製造工程を説明するための略線図である。
【図３】この発明の一実施形態における追加記録の説明に用いる略線図である。
【図４】この発明が適用された光ディスクの記録フォーマットの説明に用いる略線図である。
【図５】この発明が適用された光ディスクの記録フォーマットの説明に用いる略線図である。
【図６】ＣＩＲＣのエンコーダの一例のブロック図である。
【図７】ＣＩＲＣのエンコーダの一例のより詳細なブロック図である。
【図８】ＣＩＲＣのデコーダの一例のブロック図である。
【図９】ＣＩＲＣのデコーダの一例のより詳細なブロック図である。
【図１０】ＣＩＲＣのインターリーブの説明に用いる略線図である。
【図１１】この発明の一実施形態の追加記録の方法を説明するための略線図である。
【図１２】ＣＩＲＣを使用している場合における追加記録の方法を説明するための略線図である。
【図１３】ＣＩＲＣを使用している場合における追加記録の方法を説明するための略線図である。
【図１４】ＣＩＲＣを使用している場合における追加記録の方法を説明するための略線図である。
【図１５】ＣＩＲＣを使用している場合における追加記録の方法を説明するための略線図である。
【符号の説明】
【００５３】
２・・・反射膜、１１・・・２シンボル遅延／スクランブル回路、１２・・・Ｃ２符号器、１３・・・インターリーブ回路、１４・・・Ｃ１符号器、１５・・・１シンボル遅延回路
【図１】
2008108421.tif 000003
【図２】
2008108421.tif 000004
【図３】
2008108421.tif 000005
【図４】
2008108421.tif 000006
【図５】
2008108421.tif 000007
【図６】
2008108421.tif 000008
【図７】
2008108421.tif 000009
【図８】
2008108421.tif 000010
【図９】
2008108421.tif 000011
【図１０】
2008108421.tif 000012
【図１１】
2008108421.tif 000013
【図１２】
2008108421.tif 000014
【図１３】
2008108421.tif 000015
【図１４】
2008108421.tif 000016
【図１５】
2008108421.tif 000017